(57)【要約】【課題】片手で柄を握り、柄を介してのあかすりは、あかすりにかかる力が弱く、柄を強く握りしめるため、手が疲れ、長時間の継続したあかすりに対応できなかった。  本発明は、両手を使い、長時間のあかすりを行うことができるあかすり棒を提供する。【解決手段】棒状体の中央及び両端に円球体を設けたことを特徴とするあかすり棒。【選択図】図６
2017200553.tif 000002
【特許請求の範囲】
【請求項１】
あかすり棒であって、棒状体の中央及び両端に円球体を設けて成ることを特徴とするあかすり棒。
【請求項２】
あかすり棒であって、棒状体を分割構造により構成して成ることを特徴とする請求項１に記載のあかすり棒。
【請求項３】
あかすり棒であって、棒状体を伸縮構造により構成して成ることを特徴とする請求項１に記載のあかすり棒。
【発明の詳細な説明】
【技術分野】
【０００１】  本発明は、あかすりを行うあかすり棒に関するものである。
【背景技術】
【０００２】  従来、柄の先端にあかすり具を設け、柄を握ってあかすりを行うあかすり棒が市販されている。
また、金属棒をＬ型にし、Ｌ型の先端に木製の球体をつけ、あかすり部としたあかすり具が提供されている（特許文献１参照）。
【先行技術文献】
【特許文献】
【０００３】
【特許文献１】  特開２００８−２７９２１８号公報
【発明の概要】
【発明が解決しようとする課題】
【０００４】  片手で柄を握り、柄を介してあかすりを行うため、あかすりにかかる力は間接的で弱いものであった。そして、柄を強く握りしめるため、長時間の継続したあかすりに対応できないという難点があった。
本発明は、以上の問題点を解決するためになされたものである。
【課題を解決するための手段】
【０００５】  上記課題を解決するための請求項１の発明は、あかすり棒であって、棒状体の中央及び両端に円球体を設けて成ることを特徴とする。【０００６】  また、請求項２の発明は、あかすり棒であって、棒状体を分割構造により構成して成ることを特徴とする。【０００７】  また、請求項３の発明は、あかすり棒であって、棒状体を伸縮構造により構成して成ることを特徴とする。
【発明の効果】
【０００８】  上記請求項１の発明によれば、下記の効果がある。
先ず、棒状体の両端に円球体を設けたことによる効果である。【０００９】  第１  背中のあかすりを行う場合、円球体を両手で軽く握り、両腕の力を利用して棒状体を背中に引き付けると、あかすり本体が背中の対象部位に圧接される。そのため、円球体を強く握りながらあかすりを行う必要がないので手が疲れない。
第２  円球体に、両手の股部分（親指の付け根部分）を押し当てながら棒状体を保持し、あかすりを行うことができる。そして、棒状体を垂直に近い状態であかすりを行っても、円球体が刀の鍔の役目をしてくれるので、棒状体が滑り落ちることを防いでくれる。【００１０】  第３  円球体に、両手の手の平を押し付けて棒状体を保持し、あかすりを行うことができる。
第４  前記第１ないし第３記載の、あかすりに伴う各種動作を、手首を回しながら、円球体に手をスライドさせ、連続して行うことができる。【００１１】  次に、棒状体の中央に円球体を設けたことによる効果である。
円球体をあかすり基部としたことで、背中の凹部のあかすりを行うことができる。【００１２】  上記請求項２の発明によれば、下記の効果がある。
棒状体を分割構造にすることで、持ち運びに便利である。【００１３】  上記請求項３の発明によれば、下記の効果がある。
あかすりを行う部位に応じて、伸縮パイプの長さを調節することができる。
また、あかすりの途中で、持ち手を離すことなく、伸縮パイプを摺動して、その長さを自由に調節することができる。
【図面の簡単な説明】
【００１４】
【図１】  本発明の第１実施形態の棒状体の斜視図
【図２】  （Ａ）同じくあかすり基部の斜視図  （Ｂ）同じくあかすり基部の側面図  （Ｃ）同じく挿通孔側から見たあかすり基部の正面図
【図３】  同じくあかすり基部に棒状体を挿嵌した場合の斜視図
【図４】  （Ａ）同じくあかすり袋体の斜視図  （Ｂ）同じくあかすり袋体であかすり基部を包覆した場合の斜視図
【図５】  （Ａ）同じく短パイプ付き円球体及び棒状体の一部の斜視図  （Ｂ）同じく棒状体に短パイプ付き円球体を固定した場合の斜視図
【図６】  同じく完成形態を示す概略斜視図
【図７】  本発明の第２実施形態の連結用雌ネジ部側棒状体の斜視図
【図８】  同じく連結用雄ネジ部側棒状体の斜視図
【図９】  同じく各棒状体が連結した状態を示す概略斜視図
【図１０】  同じく各棒状体の連結部分（Ａ−Ａ部分）を拡大して示す断面図
【図１１】  本発明の第３実施形態の伸縮パイプ（外部側パイプ）の斜視図
【図１２】  同じく完成形態を示す概略斜視図
【発明を実施するための形態】
【００１５】  ＜第１実施形態＞
本発明の第１実施形態は、棒状体の中央に円球体のあかすり基部を設け、両端に円球体を設けた形態である。
以下、本実施形態について、図１ないし図６を参照して説明する。
【００１６】  図１は、本発明の棒状体１の斜視図であり、その材質を問わず、棒パイプも含まれる。
該棒状体１の長さは、６５０ｍｍないし８００ｍｍ位、直径は、１８ｍｍないし２５ｍｍ位である。
【００１７】  図２（Ａ）は、本発明のあかすり基部２の斜視図であり、同じく（Ｂ）は、その側面図、同じく（Ｃ）は、挿通孔３側から見た正面図である。
【００１８】  該あかすり基部２は、木製、金属製、硬質のゴム製その他、その材質を問わない。そして、該あかすり基部２は円球体で構成され、中空体であっても良く、棒状体１を挿通させるための挿通孔３が貫通されている。
【００１９】  そして、あかすり基部２を構成する前記円球体の大きさは、直径５０ｍｍないし７０ｍｍ位のものとする。
【００２０】  図３は、あかすり基部２に棒状体１を挿嵌した状態を示す斜視図であり、棒状体１をあかすり基部２に挿通し、棒状体１の中央部分に、前記あかすり基部２を配置、挿嵌する。
【００２１】  図４（Ａ）は、あかすり基部２を包覆するあかすり袋体４の斜視図である。
該あかすり袋体４は、伸縮性の布を用い、円球形の形状に形成されており、両端に開口部５を有している。
【００２２】  図４（Ｂ）は、棒状体１を挿嵌したあかすり基部２に、あかすり袋体４を包覆した状態を示す斜視図である。
以下、あかすり基部２を、あかすり袋体４で包覆した形態をあかすり本体６という。
【００２３】  図５（Ａ）は、本発明の短パイプ付き円球体９及び棒状体１の一部（端部）の斜視図である。
【００２４】  前記、短パイプ付き円球体９は、円球体７と短パイプ８が一体形成されており、木製、金属製、合成樹脂製など、その材質を問わない。そして、円球体７は、中空体であっても良く、その直径は、４０ｍｍないし５０ｍｍ位である。
短パイプ８の端部近傍には、図５（Ｂ）に示す、固定ネジ４０と螺合する雌ネジ部を形成した、短パイプネジ孔２０が穿設されている。
【００２５】  そして、棒状体１の、前記短パイプネジ孔２０と対応する箇所に、固定ネジ４０と螺合する雌ネジ部を形成した、棒状体ネジ孔３０が穿設されている。
【００２６】  図５（Ｂ）は、短パイプ付き円球体９に棒状体１を挿入し、固定ネジ４０で固定した状態を示す一部斜視図である。
【００２７】  図６は、本実施形態の概略斜視図であり、その完成形態を示すものである。
本発明の第１実施形態は以上のような構造である。
【００２８】  本発明を使用する方法は下記の通りである。
第１  両手で円球体７を軽く握り、あかすり本体６を対象部位に押し付けて、棒状体１を上下左右及び斜め方向に動かしながら、あかすりを行う。
第２  両手の手の平で、円球体７を押し付けながら棒状体１を保持した状態で、あかすりを行う。また、背中の凹部のあかすりを行うときは、棒状体１を、できるだけ垂直な状態に保持し、親指と人差し指で輪をつくり、その輪を円球体７に引っ掛けながら、あかすりを行う。
【００２９】  第３  前記第１及び第２の動作を、手首を回し、両手を円球体７にスライドさせながら、連続した動作で行うようにする。
第４  あかすり袋体４は、適宜取り外し、洗濯をした衛生的なものを使用する。
【００３０】  ＜第２実施形態＞
本発明の第２実施形態は、棒状体を分割構造により構成した形態である。
以下、本実施形態について、図７ないし図１０を参照して説明する。
【００３１】  図７は、本発明の連結用雌ネジ部側棒状体５０の斜視図である。
該連結用雌ネジ部側棒状体５０の一端に短パイプ付き円球体９を設け、他端近傍にあかすり本体６を設ける。
【００３２】  前記連結用雌ネジ部側棒状体５０の端部（あかすり本体６側端部）の内周面には、図８に示す、連結用雄ネジ部６１と螺合する連結用雌ネジ部５１が形成されている。
【００３３】  図８は、本発明の連結用雄ネジ部側棒状体６０の斜視図である。
該連結用雄ネジ部側棒状体６０の一端に、連結用雄ネジ部６１が一体形成されており、他端には、短パイプ付き円球体９が設けられている。
【００３４】  図９は、連結用雌ネジ部側棒状体５０と連結用雄ネジ部側棒状体６０が連結した状態を示したものであり、本実施形態の完成形態でもある。
【００３５】  図９に示すとおり、連結用雌ネジ部側棒状体５０にあかすり本体６が設けられているが、その近傍Ａ−Ａ部分が、連結用雌ネジ部側棒状体５０と連結用雄ネジ部側棒状体６０との連結部分である。
【００３６】  図１０は、前記連結部分（Ａ−Ａ部分）を拡大して示す断面図である。
本発明の第２実施形態は、以上のような構造である。
【００３７】  本発明を使用するときは、一方の手で連結用雌ネジ部側棒状体５０を握り、他方の手で連結用雄ネジ部側棒状体６０を、軸方向に対して反時計方向に回転させて分割（二分割）する。
【００３８】  連結するときは、一方の手で連結用雌ネジ部側棒状体５０を握り、他方の手で連結用雄ネジ部側棒状体６１を握り、該連結用雄ネジ部側棒状体６０を時計方向に回転させ、連結用雌ネジ部５１と連結用雄ネジ部６１を羅合させて行う。
【００３９】  ＜第３実施形態＞
本発明の第３実施形態は、棒状体を伸縮構造により構成した形態である。
伸縮構造により構成される棒状体は、伸縮棒とも呼ばれているが、スノ−ブラシ（商品名）や、つっぱり棒（商品名）その他、多種多様なものが市販されている。
本実施形態は、スノ−ブラシ（商品名）に採用されている金属製の伸縮パイプ方式を用いる。
【００４０】  スノ−ブラシ（商品名）に採用されている伸縮パイプ方式による構造の要点は、そのロック（固定）方法にある。
該ロック（固定）方法は、次の二種類に分類される。
第一類  一方の手で伸縮パイプの外部側パイプを握り、他方の手で伸縮パイプの内部側パイプを軸方向に対して時計方向に回転させると、内部側パイプに付設された係止体が外部側パイプの内周面に当接し、更に、同方向に回転する力を強めることで、前記係止体が、外部側パイプの内周面を圧接して、外部側パイプと内部側パイプがロック（固定）されるものである。
そして、ロック（固定）解除は、内部側パイプを反時計方向に回転することで達成される。
第二類  一方の手で伸縮パイプの外部側パイプを握り、他方の手で伸縮パイプの内部側パイプを軸方向に対して反時計方向に回転させると、内部側パイプに付設された係止体が外部側パイプの内周面に当接し、更に、同方向に回転する力を強めることで、前記係止体が、外部側パイプの内周面を圧接して、外部側パイプと内部側パイプがロック（固定）されるものである。
そして、ロック（固定）解除は、内部側パイプを軸方向に対して時計方向に回転することで達成される。
【００４１】  以下、本実施形態について、図１１及び図１２を参照して説明する。
図１１は、本発明の伸縮パイプ（外部側パイプ）１００の斜視図である。
該伸縮パイプ（外部側パイプ）１００の一端に短パイプ付き円球体９を設け、他端近傍に、あかすり本体６を設ける。
【００４２】  図１２に示すとおり、伸縮パイプ（外部側パイプ）１００に伸縮パイプ（内部側パイプ）２００が挿通されているが、伸縮パイプ（内部側パイプ）２００の端部には、短パイプ付き円球体９が設けられている。
そして、伸縮パイプ（外部側パイプ）１００と伸縮パイプ（内部側パイプ）２００に設置する短パイプ付き円球体９は、前記各伸縮パイプの外径が異なるため、各伸縮パイプに対応した内径を有する短パイプ８を用いる。
また、伸縮パイプ（外部側パイプ）１００及び伸縮パイプ（内部側パイプ）２００の、両端に設けられた円球体７を含んだ長さは、最大延伸時が１１００ｍｍ位、最小短縮時が７００ｍｍ位である。
本発明の第３実施形態は以上のような構造である。
【００４３】  本発明を使用するときは、先ず、伸縮パイプ（外部側パイプ）１００と伸縮パイプ（内部側パイプ）２００を摺動して適宜の長さに調節する。
以下、伸縮パイプ（外部側パイプ）１００及び伸縮パイプ（内部側パイプ）２００が一体化された状態を、単に、一体化された伸縮パイプという。
次に、一方の手で伸縮パイプ（外部側パイプ）１００を握り、他方の手で伸縮パイプ（内部側パイプ）２００を、軸方向に対して時計方向（反時計方向）に回転させて、一体化された伸縮パイプをロック（固定）する。
【００４４】  そして、一体化された伸縮パイプの各円球体７を両方の手で保持しながら、あかすりを行う。その際、一体化された伸縮パイプの角度に合わせて、適宜柔軟に、手首を回しながら、手をスライドさせて円球体７を軽く握り、各種部位に対応したあかすりを行う。
また、一体化された伸縮パイプの長さを新たに調節するときは、一方の手で伸縮パイプ（外部側パイプ）１００を握り、他方の手で伸縮パイプ（内部側パイプ）２００を、軸方向に対して反時計方向（時計方向）に回転させて、一体化された伸縮パイプのロック（固定）を解除する。そして、再度、一体化された伸縮パイプを摺動して適宜の長さに調節し、伸縮パイプ（内部側パイプ）２００を、軸方向に対して時計方向（反時計方向）に回転させて、一体化された伸縮パイプをロック（固定）する。
【符号の説明】
【００４５】  １  棒状体        ５  開口部          ９  短パイプ付き円球体
２  あかすり基部  ６  あかすり本体  ２０  短パイプネジ孔
３  挿通孔        ７  円球体        ３０  棒状体ネジ孔
４  あかすり袋体  ８  短パイプ      ４０  固定ネジ
５０  連結用雌ネジ部側棒状体          ６１  連結用雄ネジ部
５１  連結用雌ネジ部                １００  伸縮パイプ（外部側パイプ）
６０  連結用雄ネジ部側棒状体        ２００  伸縮パイプ（内部側パイプ）
【図１】
2017200553.tif 000003
【図２】
2017200553.tif 000004
【図３】
2017200553.tif 000005
【図４】
2017200553.tif 000006
【図５】
2017200553.tif 000007
【図６】
2017200553.tif 000008
【図７】
2017200553.tif 000009
【図８】
2017200553.tif 000010
【図９】
2017200553.tif 000011
【図１０】
2017200553.tif 000012
【図１１】
2017200553.tif 000013
【図１２】
2017200553.tif 000014